(57)【要約】【課題】タッチスイッチの操作時に使用者が違和感や不安感を抱くことを抑制しつつ、使用者の操作以外の要因でタッチスイッチによる指示がなされることを防止したコンロを提供する。【解決手段】  左バーナ及び右バーナを収容したコンロ本体の上面を覆うガラス天板に、ガラス天板の上面への接触物又は接近物を検知するタッチスイッチ１０〜１３を設ける。加熱制御手段３１は、タッチスイッチがｏｆｆ状態からｏｎ状態に切換わった後にｏｆｆ状態に復帰したときに、各タッチスイッチに対して予め設定された処理を実行する。点灯制御手段３２は、タッチスイッチがｏｆｆ状態からｏｎ状態に切換わった時に、各タッチスイッチに対して設定された処理の実行に先行して、表示部１４〜１７の表示を該処理が実行された後のバーナの状態に応じた表示に変更する。【選択図】  図３
2005291509.tif 000002
【特許請求の範囲】
【請求項１】
加熱手段を収容するコンロ本体の上面を覆う天板に、使用者が該加熱手段に対する所定操作を指示するために設けられて、該天板の上面への接触物又は接近物を検知するタッチスイッチと、
該タッチスイッチが検知状態にあるか非検知状態にあるかを把握し、把握結果に応じて、該タッチスイッチに対して予め割当てられた所定操作を前記加熱手段に施す加熱制御手段とを備えたコンロにおいて、
前記加熱手段の状態を表示する状態表示手段と、
前記タッチスイッチが非検知状態から検知状態に切換わったときに、前記状態表示手段の表示内容を、前記所定操作が施された後の前記加熱手段の状態に応じた表示に変更する表示制御手段とを備え、
前記加熱制御手段は、前記タッチスイッチが非検知状態から検知状態に切換わった後、さらに非検知状態に復帰したときに、前記所定操作を前記加熱手段に施すことを特徴とするコンロ。
【請求項２】
前記表示制御手段は、前記タッチスイッチが非検知状態から検知状態に切換わった後、所定時間が経過するまでに非検知状態に復帰しなかったときは、前記状態表示手段における前記所定操作が施された後の前記加熱手段の状態に対応した表示を中止することを特徴とする請求項１記載のコンロ。
【請求項３】
異常報知手段を備え、
前記表示制御手段は、前記タッチスイッチが非検知状態から検知状態に切換わった後、所定時間が経過するまでに非検知状態に復帰しなかったときは、前記異常報知手段による報知を行うことを特徴とする請求項１又は請求項２記載のコンロ。
【発明の詳細な説明】
【技術分野】
【０００１】
本発明は、加熱手段を備えたコンロに関し、特に天板の上面に加熱手段の作動を指示するための操作部を備えたコンロに関する。
【背景技術】
【０００２】
従来より、図８に示したように、システムキッチンのカウンタトップに用意された開口にコンロ本体１０１を埋設するドロップイン式のコンロにおいて、ガスバーナ１００ａ，１００ｂが収容されるコンロ本体１０１の上面を覆うガラス天板１０２に、ガスバーナ１００ａ，１００ｂの点火／消火と火力調節を行うための操作つまみ１０３ａ，１０３ｂを設けたものが知られている（例えば特許文献１参照）。
【０００３】
かかるコンロによれば、前面に操作部を備えたコンロを設置する場合のように、カウンタトップの前面に操作部を臨ませる開口を設ける必要がなく、カウンタトップへのコンロの設置も容易に行うことができる。また、ガスバーナの点火／消火や火力調節を天板１０２に設けられて視認性が良い操作つまみ１０３ａ，１０３ｂにより行うことができるため、使用者の操作性が向上する。
【特許文献１】実開昭５８−１８６３０２号公報
【発明の開示】
【発明が解決しようとする課題】
【０００４】
図８に示したコンロによれば、操作つまみ１０３ａ，１０３ｂがガラス天板１０２の上面に突出して配置されているため、調理を行う際に邪魔になる場合がある。そこで、ガスバーナ１００ａ，１００ｂの操作手段として、例えば、静電容量式のセンサの検出部をガラス天板１０２の裏面に設けてガラス天板１０２の表面に操作部を備えたタッチスイッチを構成し、ガラス天板１０２の上面をフラットにすることが考えられる。
【０００５】
しかし、このようにタッチスイッチを設けた場合、五徳１０４ａ，１０４ｂに載置したなべ等からの調理物の煮こぼれやガラス天板１０２への落下物等によりタッチスイッチが覆われて、タッチスイッチがＯＮ状態となることが生じ得る。そこで、タッチスイッチが一旦ＯＮ状態となってから再びＯＦＦ状態に復帰したときに、タッチスイッチの操作を受け付ける仕様とすることで、煮こぼれ等によりタッチスイッチがＯＮ状態に維持される状況となったときに、タッチスイッチの操作を受け付けないようにすることができる。
【０００６】
ところが、このように、タッチスイッチがＯＮ状態からＯＦＦ状態に復帰したときにタッチスイッチの操作を受け付ける仕様とした場合、例えば使用者がタッチスイッチに触れてバーナの点火指示を行っても、使用者がタッチスイッチから指を離してタッチスイッチがＯＦＦ状態となるまでの間は、バーナの点火操作は実行されない。この場合、使用者が直ぐにタッチスイッチから指を離さなかったときには、点火指示を行ったにも拘らず点火操作が開始されないため、使用者に対して違和感や不安感を与えるおそれがある。
【０００７】
本発明はかかる背景を鑑みてなされたものであり、タッチスイッチの操作時に使用者が違和感や不安感を抱くことを抑制しつつ、使用者の操作以外の要因でタッチスイッチによる指示がなされることを防止したコンロを提供することを目的とする。
【課題を解決するための手段】
【０００８】
本発明は上記目的を達成するためになされたものであり、加熱手段を収容するコンロ本体の上面を覆う天板に、使用者が該加熱手段に対する所定操作を指示するために設けられて、該天板の上面への接触物又は接近物を検知するタッチスイッチと、該タッチスイッチが検知状態にあるか非検知状態にあるかを把握し、把握結果に応じて、該タッチスイッチに対して予め割当てられた所定操作を前記加熱手段に施す加熱制御手段とを備えたコンロの改良に関する。
【０００９】
そして、前記加熱手段の状態を表示する状態表示手段と、前記タッチスイッチが非検知状態から検知状態に切換わったときに、前記状態表示手段の表示内容を、前記所定操作が施された後の前記加熱手段の状態に応じた表示に変更する表示制御手段とを備え、前記加熱制御手段は、前記タッチスイッチが非検知状態から検知状態に切換わった後、さらに非検知状態に復帰したときに、前記所定操作を前記加熱手段に施すことを特徴とする。
【００１０】
かかる本発明によれば、前記タッチスイッチが非検知状態から検知状態に切換わった後、さらに非検知状態に復帰しなければ、前記加熱制御手段による前記加熱手段に対する所定操作は実行されない。そのため、調理物の煮こぼれ等の使用者の操作以外の要因によりタッチスイッチが非検知状態から検知状態に切換わって該検知状態が維持される状態になったときに、前記加熱手段に対して前記所定操作が実行されることを防止することができる。
【００１１】
一方、前記表示制御手段は、前記タッチスイッチが非検知状態から検知状態に切換わったときに、前記状態表示手段の表示内容を、前記所定操作が施された後の前記加熱手段の状態に応じた表示に変更する。そのため、使用者はタッチスイッチの操作による指示が受付けられたことを目視により確認することができる。これにより、前記タッチスイッチが非検知状態から検知状態に切換わった後、さらに非検知状態に復帰して実際に前記加熱手段に対して前記所定操作が施されるまでの遅れ時間に対する使用者の意識を薄れさせて、該遅れ時間により使用者が違和感や不安感を抱くことを抑制することができる。
【００１２】
また、前記表示制御手段は、前記タッチスイッチが非検知状態から検知状態に切換わった後、所定時間が経過するまでに非検知状態に復帰しなかったときは、前記状態表示手段における前記所定操作が施された後の前記加熱手段の状態に対応した表示を中止することを特徴とする。
【００１３】
かかる本発明によれば、前記タッチスイッチが非検知状態から検知状態に切換わった後、前記所定時間が経過するまでに非検知状態に復帰しなかったときに、前記表示制御手段により、前記状態表示手段における前記所定操作が施された後の状態に対応した表示が中止される。これにより、調理物の煮こぼれ等によって前記タッチスイッチが非検知状態から検知状態に切換わった後、該検知状態が維持される状態となって、前記加熱手段の実際の状態と前記状態表示手段に表示された前記加熱手段の状態とが相違した状態が継続され、前記状態表示手段を確認した使用者に違和感を与えることを防止することができる。
【００１４】
また、異常報知手段を備え、前記表示制御手段は、前記タッチスイッチが非検知状態から検知状態に切換わった後、所定時間が経過するまでに非検知状態に復帰しなかったときは、前記異常報知手段による報知を行うことを特徴とする。
【００１５】
かかる本発明において、前記タッチスイッチが非検知状態から検知状態に切換わった後、所定時間が経過しても該検知状態が維持されている場合は、煮こぼれや落下物、調理容器等により前記タッチスイッチが覆われている状況にあると推定することができる。そこで、この場合には、前記異常報知手段による報知を行うことで、使用者に上記状況への対処を促すことができる。
【発明を実施するための最良の形態】
【００１６】
本発明の実施の形態について、図１〜図７を参照して説明する。図１は本発明のコンロの外観図、図２は図１に示した操作部の詳細図、図３はコンロの制御ブロック図、図４〜図５はバーナの点火処理のフローチャート、図６〜図７はバーナ燃焼中の各種処理のフローチャートである。
【００１７】
図１は、コンロ本体１の上面に、耐熱性に優れた結晶化ガラスで形成されたガラス天板２を装着したドロップイン式のコンロを示している。ガラス天板２には、左右一対のコンロ開口３ａ，３ｂが開設されている。そして、コンロ本体１内に、各コンロ開口３ａ，３ｂに臨ませて、左バーナ４ａ及び右バーナ４ｂ（本発明の加熱手段に相当する）が設けられている。また、コンロ開口３ａ，３ｂには、調理容器を載置する五徳５ａ，５ｂが配置され、ガラス天板２の上面の手前側に、左バーナ４ａ及び右バーナ４ｂの作動を指示するための操作部６が設けられている。
【００１８】
図２を参照して、操作部６には、コンロに電源が投入された状態で、左バーナ４ａ及び右バーナ４ｂの作動指示が可能な「運転状態」と該作動指示が不能な「待機状態」とに切り換える運転スイッチ１０が備えられている。また、左バーナ４ａの作動を指示するために、左バーナ４ａを点火準備状態とする点火準備スイッチ１１ａ、左バーナ４ａの火力を５段階（レベル１〜レベル５）に切り換える火力ＤＯＷＮスイッチ１２ａと火力ＵＰスイッチ１３ａ、左バーナ４ａが点火準備状態にあるときと左バーナ４ａの作動中に点灯する点火準備表示部１４ａ（本発明の状態表示手段に相当する）、及び左バーナ４ａの火力設定を表示する火力レベル表示部１５ａ（本発明の状態表示手段に相当する）が設けられている。
【００１９】
なお、左バーナ４ａが点火準備状態にあるときに、火力ＵＰスイッチ１３ａが操作されたときには、左バーナ４ａの点火処理が実行される。また、左バーナ４ａの燃焼中に点火準備スイッチ１１ａ又は運転スイッチ１０が操作されたときは、左バーナ４ａの消火処理が実行される。
【００２０】
同様に、右バーナ４ｂの作動を指示するために、右バーナ４ｂを点火準備状態とする点火準備スイッチ１１ｂ、右バーナ４ｂの火力を５段階（レベル１〜レベル５）に切り換える火力ＤＯＷＮスイッチ１２ｂと火力ＵＰスイッチ１３ｂ、右バーナ４ｂが点火準備状態にあるときと右バーナ４ｂの作動中に点灯する点火準備表示部１４ｂ（本発明の状態表示手段に相当する）、及び右バーナ４ｂの火力設定を表示する火力レベル表示部１５ｂ（本発明の状態表示手段に相当する）が設けられている。
【００２１】
なお、右バーナ４ｂが点火準備状態にあるときに、火力ＵＰスイッチ１３ｂが操作されたときには、右バーナ４ｂの点火処理が実行される。また、右バーナ４ｂの燃焼中に点火準備スイッチ１１ｂ又は運転スイッチ１０が操作されたときは、右バーナ４ｂの消火処理が実行される。
【００２２】
さらに、操作部６には、「運転状態」にあるときに点灯するアンロック表示部１６と、運転スイッチ１０が所定時間（例えば４秒）以上連続して操作されて、全てのスイッチの操作が不能ないわゆるチャイルドロック状態となったときに点灯するロック表示部１７とが備えられている。
【００２３】
ここで、操作部６の各スイッチは、ガラス天板２の裏面に設けられた静電容量センサと、該静電容量センサと対向したガラス天板２の表面部分にプリントされて各スイッチのタッチポイントを示すプリント部分とにより構成された無接点型のタッチスイッチである。そして、該プリント部分（静電容量センサに対向したガラス天板２の表面部分）に静電体が置かれているときは、静電容量センサにより該静電体が検出されてタッチスイッチはｏｎ状態（本発明の検知状態に相当する）となる。一方、該プリント部分に静電体が置かれていないときには、静電容量センサにより該静電体が検出されず、タッチスイッチはｏｆｆ状態（本発明の非検知状態に相当する）となる。
【００２４】
また、操作部６の各表示部は、ガラス天板２の裏面に設けられたＬＥＤと、該ＬＥＤと対向したガラス天板２の表面部分にプリントされたプリント部分とにより構成される。そして、ＬＥＤをＯＮしたときに表示部が点灯状態になり、ＬＥＤをＯＦＦしたときに表示部は消灯状態となる。
【００２５】
また、火力レベル表示部１５ａは、左バーナ４ａの火力レベル（レベル１〜レベル５）を、図示した５個の点灯部分からなるバー表示の左側からの点灯部分の点灯個数で表示する。例えば、左バーナ４ａの火力レベルが１であるときはバー表示の左端の点灯部分のみを点灯し、左バーナ４ａの火力レベルが５であるときはバー表示の５個の点灯部分が全て点灯する。同様に、火力レベル表示部１５ｂは、右バーナ４ｂの火力レベル（レベル１〜レベル５）を、図示した５個の点灯部分からなるバー表示の左側からの点灯部分の点灯個数で表示する。
【００２６】
次に、図３を参照して、コンロ本体１内には、コンロの全体的な作動を制御するコントローラ３０が備えられ、操作部６の各スイッチ（運転スイッチ１０、点火準備スイッチ１１ａ，１１ｂ、火力ＤＯＷＮスイッチ１２ａ，１２ｂ、火力ＵＰスイッチ１３ａ，１３ｂ）の操作状態（ｏｎ／ｏｆｆ）の検知信号がコントローラ３０に入力される。
【００２７】
また、コントローラ３０から出力される制御信号によって、コンロ本体１への燃料ガスの供給と遮断とを切り換えるガス元弁４０、左バーナ４ａへの燃料ガスの供給と遮断とを切り換える左バーナ用開閉弁４１ａ、左バーナ４ａへの燃料ガスの供給流量を変更する左バーナ用火力調節弁４２ａ、左バーナ４ａの点火電極（図示しない）に高電圧を印加して火花放電を生じさせる左バーナ用イグナイタ４３ａ、右バーナ４ｂへの燃料ガスの供給と遮断とを切り換える右バーナ用開閉弁４１ｂ、右バーナ４ｂへの燃料ガスの供給流量を変更する右バーナ用火力調節弁４２ｂ、右バーナ４ｂの点火電極（図示しない）に高電圧を印加して火花放電を生じさせる右バーナ用イグナイタ４３ｂの作動が制御される。
【００２８】
さらに、コントローラ３０から出力される制御信号によって、操作部６に備えられた各表示部（点火準備表示部１４ａ，１４ｂ、火力レベル表示部１５ａ，１５ｂ、アンロック表示部１６、ロック表示部１７）の点灯／消灯と、ブザー１８のｏｎ／ｏｆｆが制御される。
【００２９】
また、コントローラ３０には、左バーナ４ａと右バーナ４ｂの作動を制御する加熱制御手段３１と、操作部６に備えられた各表示部の点灯／消灯の制御とブザー１８による報知を行う点灯制御手段３２とが備えられている。
【００３０】
ここで、上述したように、操作部６に設けられたタッチスイッチは、ガラス天板２の上面に所在する静電体の有無を検知するものである。そのため、使用者が指でタッチスイッチに触れた場合の他に、図１（ｂ）に示したように、左バーナ４ａのみを使用して鍋２０内の調理物を加熱していたときに、調理物のふきこぼれ２１が生じ、該ふきこぼれ２１が操作部６に達して右バーナ４ｂ用のタッチスイッチがｏｎ状態となることが生じ得る。或いは、ガラス天板２上の落下物（布巾、食材等）やガラス天板２上に置かれた調理容器により操作部６が覆われてタッチスイッチがｏｎ状態となることも生じ得る。
【００３１】
そこで、コントローラ３０に備えられた加熱制御手段３１は、このように、使用者の操作以外の要因でタッチスイッチがｏｆｆ状態からｏｎ状態に切り変わったときに、誤って左バーナ４ａや右バーナ４ｂに対する操作指示が受け付けられないようにするための処理を行う。また、コントローラ３０に備えられた点灯制御手段３２は、かかる処理に伴って、タッチスイッチを操作した使用者が違和感や不安感を抱くことを抑制するための処理を行う。
【００３２】
以下、図４〜図７のフローチャートに従って、これらの処理について説明する。なお、図４〜図７のフローチャートは左バーナ４ａに対する処理であるが、右バーナ４ｂに対する処理も同様である。
【００３３】
先ず、図４〜図５は、左バーナ４ａの点火操作に対する処理である。運転スイッチ１０の操作によって「待機状態」から「運転状態」に切換わると（このとき、アンロック表示部１６が点灯する）、加熱制御手段３１は、図４のＳＴＥＰ１で点火準備スイッチ１１ａがｏｆｆ状態からｏｎ状態に切換わるのを待つ。
【００３４】
そして、点火準備スイッチ１１ａがｏｆｆ状態からｏｎ状態に切換わったときにＳＴＥＰ１からＳＴＥＰ２に進む。ＳＴＥＰ２〜ＳＴＥＰ３は点灯制御手段３２による処理であり、点灯制御手段３２は、ＳＴＥＰ２で点灯準備表示部１４ａを点灯し、ＳＴＥＰ３でブザー１８を鳴動させる。ここで、実際に火力ＵＰスイッチ１３ａによる左バーナ４ａの点火指示が可能な「点火準備状態」となるのは、次のＳＴＥＰ４で点火準備スイッチ１１ａがｏｆｆ状態に復帰した後である。
【００３５】
しかし、点火準備スイッチ１１ａがｏｎ状態からｏｆｆ状態に復帰するのを待って点火準備表示部１４ａを点灯させた場合には、使用者が点火準備スイッチ１１ａに触れて「点火準備状態」への移行を指示したにも拘らず、点火準備スイッチ１１ａがｏｆｆ状態に復帰するまでの間は何の応答もないため、使用者に違和感や不安感を与えるおそれがある。
【００３６】
そこで、実際に「点火準備状態」となる前に、先行して点火準備表示部１４ａを点灯させ、これにより使用者に点火準備スイッチ１１ａの操作が受け付けられたことを報知することによって、上述した違和感や不安感を抱くことを抑制している。
【００３７】
加熱制御手段３１は、ＳＴＥＰ４で２秒タイマ（２秒は本発明の所定時間に相当する）をスタートさせ、次のＳＴＥＰ５とＳＴＥＰ２０からなるループにより、ＳＴＥＰ２０で２秒タイマのタイムアップの有無を確認しながら、ＳＴＥＰ５で点火準備スイッチ１１ａがｏｆｆ状態に復帰するのを待つ。そして、ＳＴＥＰ２０で２秒タイマがタイムアップしたときは、ＳＴＥＰ２１に進む。
【００３８】
ＳＴＥＰ２１で、点灯制御手段３２は、点火準備表示部１４ａを消灯し、次のＳＴＥＰ２２で点灯準備表示部１４ａを点滅させると共にブザー１８を鳴動させる「異常報知」を行う。これにより、使用者の操作以外の要因によって「点火準備状態」となるのを防止すると共に、調理物のふきこぼれ等の異常が生じていることを使用者に報知する。なお、この場合のブザー１８と点灯準備表示部１４ａは本発明の異常報知手段に相当する。また、ブザー１８の鳴動と点灯準備表示部１４ａの点滅のうち、いずれか一方により「異常報知」を行ってもよい。
【００３９】
一方、ＳＴＥＰ２０で２秒タイマがタイムアップする前にＳＴＥＰ５で点火準備スイッチ１１ａがｏｆｆ状態に復帰したときには、使用者が点火準備スイッチ１１ａを操作したと判断することができる。そこでこの場合は、「点火準備状態」に移行して、ＳＴＥＰ６で火力ＵＰスイッチ６がｏｆｆ状態からｏｎ状態に切換わるのを待つ。なお、この場合、「点火準備状態」とする操作が、点火準備スイッチ１１ａに対して予め割り当てられた本発明の所定操作に相当する。
【００４０】
そして、火力ＵＰスイッチ６がｏｆｆ状態からｏｎ状態に切換わったときは、ＳＴＥＰ７に進む。ＳＴＥＰ７〜ＳＴＥＰ８は点灯制御手段３２による処理であり、点灯制御手段３２は、ＳＴＥＰ７で火力レベル表示部１５ａをレベル４で点灯し、ＳＴＥＰ８でブザーを鳴動させる。
【００４１】
ここで、火力レベル４は左バーナ４の点火処理を行う際のガス量設定に対応したものである。実際に左バーナ４ａの点火操作が行われるのは、ＳＴＥＰ１０で火力ＵＰスイッチ１３ａがｏｆｆ状態に復帰して、ＳＴＥＰ１１に進んだ後である。そして、このように、実際の左バーナ４ａの点火操作に先行して、点火時の火力レベルを火力レベル表示部１５ａで表示させることにより、上述したＳＴＥＰ２〜ＳＴＥＰ３の場合と同様に、スイッチ操作に対して使用者が違和感や不安感を抱くことを抑制している。
【００４２】
図５のＳＴＥＰ９で、加熱制御手段３１は２秒タイマをスタートさせ、次のＳＴＥＰ１０とＳＴＥＰ３０からなるループにより、ＳＴＥＰ３０で２秒タイマのタイムアップの有無を確認しながら、ＳＴＥＰ１０で火力ＵＰスイッチ１３ａがｏｆｆ状態に復帰するのを待つ。
【００４３】
そして、ＳＴＥＰ１０で火力ＵＰスイッチ１３ａがｏｆｆ状態に復帰したとき、すなわち、ＳＴＥＰ６で火力ＵＰスイッチ１３がｏｆｆ状態からｏｎ状態に切換わってから２秒以内にｏｆｆ状態に復帰したときは、使用者が火力ＵＰスイッチ１３ａを操作したと判断できる。そのため、この場合はＳＴＥＰ１１に進み、加熱制御手段３１は、左バーナ４ａの点火操作を行う。具体的には、イグナイタ４３ａを作動させて点火電極に火花放電を生じさせた状態で、ガス元弁４０と左バーナ用開閉弁４１ａを開弁し、左バーナ用火力調節弁４２ａを火力レベル４に設定して左バーナ４ａの点火処理を実行する。なお、この場合、左バーナ４ａに点火するための一連の操作が、火力ＵＰスイッチ１３ａに対して予め割り当てられた本発明の所定操作に相当する。
【００４４】
一方、ＳＴＥＰ３０で２秒タイマがタイムアップしたときはＳＴＥＰ３１に進む。そして、点灯制御手段３２は、ＳＴＥＰ３１で点火準備表示部１４ａを消灯し、ＳＴＥＰ３２で火力レベル表示部１５ａをｏｆｆ（消灯）して、次のＳＴＥＰ３３で「異常報知」を行う。これにより、調理物のふきこぼれ等の要因によって火力ＵＰスイッチ１３ａがｏｎ状態に維持されたときには、点火操作を禁止している。
【００４５】
次に、図６〜図７は左バーナ４ａが燃焼状態にあるときに、タッチスイッチがｏｆｆ状態からｏｎ状態に切換わったときの処理である。ＳＴＥＰ５０で点火準備スイッチ１１ａがｏｆｆ状態からｏｎ状態に切換わったときは、ＳＴＥＰ６０に分岐し、点灯制御手段３２は点灯準備表示部１４ａを消灯し、ＳＴＥＰ６１でブザー１８を鳴動させる。そして、次のＳＴＥＰ６２で、加熱制御手段３１は直ちに左バーナ用開閉弁４１ａを閉弁して左バーナ４ａを消火する。この場合、左バーナ４ａを消火するための操作が、点火準備スイッチ１１ａに対して予め割り当てられた本発明の所定操作に相当する。
【００４６】
このように、左バーナ４ａの燃焼中に点火準備スイッチ１１ａがｏｆｆ状態からｏｎ状態に切換わったときは、点火準備スイッチ１１ａがｏｆｆ状態に復帰するのを待たずに左バーナ４ａの消火処理が実行される。これにより、使用者が加熱調理を終了するために点火準備スイッチ１１ａを操作したときには、直ちに左バーナ４ａが消火するため使い勝手が良い。
【００４７】
また、ＳＴＥＰ５１で火力ＤＯＷＮスイッチ１２ａが操作されたときはＳＴＥＰ７０に進む。そして、点火制御手段３２は、ＳＴＥＰ７０で火力レベル表示部１５ａの点灯部分の点灯個数を１個減少させ、ＳＴＥＰ７１でブザーを鳴動させる。また、次のＳＴＥＰ７２で、加熱制御手段３１が左バーナ用火力調節弁４２ａの開度を１段階小さくして、左バーナ４ａの火力レベルを１段階減少させる。この場合、左バーナ４ａの火力を減少させるための操作が、火力ＤＯＷＮスイッチ１２ａに対して予め割り当てられた本発明の所定操作に相当する。
【００４８】
このように、左バーナ４ａの燃焼中に火力ＤＯＷＮスイッチ１２ａがｏｆｆ状態からｏｎ状態に切換わったときは、火力ＤＯＷＮスイッチ１２ａがｏｆｆ状態に復帰するのを待たずに左バーナ４ａの火力を１段階減少させる処理が実行される。また、続くＳＴＥＰ７３とＳＴＥＰ８０からなるループで、火力ＤＯＷＮスイッチ１２ａが所定時間（例えば１秒）ｏｎ状態に維持された「連続ｏｎ状態」となったときは、ＳＴＥＰ８１に進む。ＳＴＥＰ８１〜ＳＴＥＰ８３は上述したＳＴＥＰ７０〜ＳＴＥＰ７２と同様の処理であり、左バーナ４ａの火力が１段階減少する。
【００４９】
そして、ＳＴＥＰ８３からＳＴＥＰ７３に戻り、火力ＤＯＷＮスイッチ１２ａが「連続ｏｎ状態」であるときはＳＴＥＰ８０からＳＴＥＰ８１に進んで、ＳＴＥＰ８１〜ＳＴＥＰ８３の処理が繰り返し実行される。そのため、例えば調理物のふきこぼれが生じたような場合に、使用者は、火力ＤＯＷＮスイッチ１２ａに触れ続けて火力ＤＯＷＮスイッチ１２ａをｏｎ状態に維持することで、左バーナ４ａの火力を最小レベル（レベル１）まで連続的に速やかに減少させることができる。
【００５０】
また、図７のＳＴＥＰ５２で火力ＵＰスイッチ１３ａがｏｎ状態となったときはＳＴＥＰ９０に分岐する。そして、点灯制御手段３２は、ＳＴＥＰ９０で火力レベル表示部１５ａの点灯部分の点灯個数を１個増加させ、ＳＴＥＰ９１でブザーを鳴動させて、使用者に左バーナ４ａの火力の増加を報知する。
【００５１】
ここで、実際に左バーナ４ａの火力を増加させる処理は、後述するＳＴＥＰ９４で実行されるが、火力ＵＰスイッチ１３ａがｏｆｆ状態からｏｎ状態に切換わった段階で、実際の処理に先行して火力増加を報知することで、使用者に対して火力増加の操作が受け付けられたことを認識させることができる。そして、これにより、タッチスイッチの操作に対する実際の処理の遅れにより、使用者に違和感を与えることを抑制することができる。
【００５２】
続くＳＴＥＰ９２で、加熱制御手段３１は２秒タイマをスタートさせ、ＳＴＥＰ９３とＳＴＥＰ１００からなるループで、ＳＴＥＰ１００で２秒タイマのタイムアップの有無を確認しながら、ＳＴＥＰ９３で火力ＵＰスイッチ１３ａがｏｎ状態からｏｆｆ状態に復帰するのを待つ。ＳＴＥＰ９３で火力ＵＰスイッチ１３ａがｏｆｆ状態となったときは、ＳＴＥＰ９４に進み、加熱制御手段３１は左バーナ用火力調節弁４２ａの開度を１段階大きくして、左バーナ４ａの火力を１段階増加させる。この場合、左バーナ４ａの火力を増加させるための操作が、火力ＵＰスイッチ１３ａに対して予め割り当てられた本発明の所定操作に相当する。
【００５３】
一方、ＳＴＥＰ１００で２秒タイマがタイムアップしたときには、ＳＴＥＰ１０１に進む。そして、点灯制御手段３２は、ＳＴＥＰ１０１で火力レベル表示部１５ａの点灯部分の点灯個数を１個減少させて実際の左バーナ４ａの状態を示す表示に戻す。この場合、左バーナ４ａの火力を増加させる処理は実行されない。
【００５４】
そのため、調理物の煮こぼれ等によって火力ＵＰスイッチ１３ａがｏｎ状態に維持される状況となったときに、左バーナ４ａの火力が増加することを防止することができる。また、火力を増加させたときに応じた火力レベル表示部１５ａの表示が中止されて、火力レベル表示部１５ａの表示が左バーナ４ａの実際の火力レベルに応じたものに戻るため、火力レベル表示部１５ａを確認した使用者が違和感を抱くこともない。
【００５５】
また、ＳＴＥＰ５３で左バーナ４ａの失火等の異常が検出されたときは、ＳＴＥＰ１１０に分岐し、点灯制御手段３２は、ＳＴＥＰ１１０でブザーを鳴動し、ＳＴＥＰ１１１で火力準備表示部１４ａを点滅させて、使用者に異常の発生を報知する。そして、次のＳＴＥＰ１１２で点灯制御手段３２は火力レベル表示部１５ａを消灯する。続くＳＴＥＰ１１３で、加熱制御手段３１は、左バーナ用開閉弁４１ａを閉弁して左バーナ４ａへの燃料ガスの供給を遮断し、これにより左バーナ４ａを消火して次のＳＴＥＰ１１４に進み、エラー停止状態とする。
【００５６】
なお、本実施の形態では、本発明の加熱手段としてガスバーナ４ａ，４ｂを備えたコンロを示したが、電気ヒータ等の他の種類の加熱手段を備えたコンロに対しても本発明の適用が可能である。
【００５７】
また、本実施の形態では、本発明のタッチスイッチとして静電容量型のタッチスイッチを採用したコンロを示したが、タッチスイッチの種類はこれに限られず、赤外線の発光部／受光部を備えたフォトスイッチやタクトスイッチ等の機械接点式のタッチスイッチを採用したコンロであっても、本発明の適用が可能である。
【００５８】
また、本実施の形態では、本発明の天板として耐熱ガラスを用いたガラス天板２を備えたコンロを示したが、タッチスイッチの種類によっては、ステンレス等の他の素材の天板を備えたコンロに対しても本発明の適用が可能である。
【００５９】
また、本実施の形態では、図４のＳＴＥＰ２０で２秒タイマがタイムアップしたときに、ＳＴＥＰ２１で点灯準備表示部を消灯すると共に、ＳＴＥＰ２２で異常報知を行ったが、ＳＴＥＰ２１とＳＴＥＰ２２のうちのいずれか一方の処理のみを行う場合、及びこれらの処理を共に行わない場合にも、本発明の効果を得ることができる。
【００６０】
同様に、ＳＴＥＰ３０で２秒タイマがタイムアップしたときに、ＳＴＥＰ３１，３２の表示部の消灯とＳＴＥＰ３３の「異常報知」のうちのいずれか一方の処理のみを行う場合、及びこれらの処理を共に行わない場合にも、本発明の効果を得ることができる。また、ＳＴＥＰ１００で２秒タイマがタイムアップしたときに、ＳＴＥＰ１０１の火力レベル表示部１５ａの表示を元に戻す処理とＳＴＥＰ１０２の異常報知のうちのいずれか一方の処理のみを行う場合、及びこれらの処理を共に行わない場合にも、本発明の効果を得ることができる。
【００６１】
また、運転スイッチ１０がｏｆｆ状態からｏｎ状態に切換わった後、さらにｏｆｆ状態に復帰したときに「待機状態」から「運転状態」に切換えるようにし、このとき、運転スイッチ１０がｏｆｆ状態からｏｎ状態に切換わったときにロック表示部１７を点灯させるようにしてもよい。
【図面の簡単な説明】
【００６２】
【図１】本発明のコンロの外観図。
【図２】図１に示した操作部の詳細図。
【図３】コンロの制御ブロック図。
【図４】バーナの点火処理のフローチャート。
【図５】バーナの点火処理のフローチャート。
【図６】バーナ燃焼中の各種処理のフローチャート。
【図７】バーナ燃焼中の各種処理のフローチャート。
【図８】従来のコンロの外観図。
【符号の説明】
【００６３】
１…コンロ本体、２…ガラス天板、４ａ…左バーナ、４ｂ…右バーナ、６…操作部、１０…運転スイッチ、１１ａ，１１ｂ…点火準備スイッチ、１２ａ，１２ｂ…火力ＤＯＷＮスイッチ、１３ａ，１３ｂ…火力ＵＰスイッチ、１４ａ，１４ｂ…点火準備表示部、１５ａ，１５ｂ…火力レベル表示部、１６…アンロック表示部、１７…ロック表示部、３１…加熱制御手段、３２…点灯制御手段
【図１】
2005291509.tif 000003
【図２】
2005291509.tif 000004
【図３】
2005291509.tif 000005
【図４】
2005291509.tif 000006
【図５】
2005291509.tif 000007
【図６】
2005291509.tif 000008
【図７】
2005291509.tif 000009
【図８】
2005291509.tif 000010